(57)【要約】      （修正有）【課題】立位時には着用者に違和感を与えず、歩行時にはＯ脚による膝への負担を抑えることができる靴底、及び該靴底を備える靴を提供する。【解決手段】接地面側であり且つ横幅方向における内側の少なくとも後足部Ｅ１に対応する位置に設けられる変形部５であって、靴底３の厚み方向で弾性圧縮可能な変形部５を備え、該変形部５は、後足部Ｅ１の後端部に設けられた易変形部６と、該易変形部６に対して前方側で隣り合う位置に設けられた難変形部７とを有し、前記難変形部７は、前記厚み方向における圧縮変形に対する剛性が前記易変形部よりも高くなっている。【選択図】図１
2019042279.tif 000002
【特許請求の範囲】
【請求項１】
接地面側であり且つ横幅方向における内側の少なくとも後足部に対応する位置に設けられる変形部であって、靴底の厚み方向で弾性圧縮可能な変形部を備え、
該変形部は、後足部の後端部に設けられた易変形部と、
該易変形部に対して前方側で隣り合う位置に設けられた難変形部とを有し、
前記難変形部は、前記厚み方向における圧縮変形に対する剛性が前記易変形部よりも高い靴底。
【請求項２】
前記易変形部は、後方側になるにつれて上方に向かうように湾曲している請求項１に記載の靴底。
【請求項３】
前記変形部に対して外側で横並びに配置された後足支持部を備え、
該後足支持部の前記厚み方向における圧縮に対する剛性は、前記難変形部よりも高くなっている請求項１又は請求項２に記載の靴底。
【請求項４】
前記後足支持部の下面には、
アウトソールが取り付けられる接地側領域と、
該接地側領域よりも内側に位置し且つ該接地側領域を基準として上方に延びるように形成された逃領域とが含まれている請求項３に記載の靴底。
【請求項５】
前記変形部の先端は、
靴底の前足部と中足部の境目に対応する位置又は該境目よりも後方側に位置するように構成されている請求項１乃至請求項４の何れか１項に記載の靴底。
【請求項６】
着用者が足を入れる着用部と、
該着用部の下側に設けられた上記請求項１乃至請求項５の何れか１項に記載の靴底とを備える靴。
【発明の詳細な説明】
【技術分野】
【０００１】
本発明は、Ｏ脚による膝への負担を抑えるための靴底、及び該靴底を備える靴に関する。
【背景技術】
【０００２】
従来から、着用者の下腿を外側（横幅方向における外側）に傾き難くすることにより、Ｏ脚による膝への負担を抑えるように構成された靴が提供されている。
【０００３】
かかる靴は、例えば特許文献１の図２、図３に開示されているように、内側（横幅方向における内側）から外側になるにつれて徐々に厚みが増すように形成された踵部サポートが靴底の後足部に形成されている。
【０００４】
前記靴によれば、踵部サポートの上面が内側から外側になるにつれて徐々に上方に向かうように傾斜しているため、歩行時に足にかかる荷重が内側に案内される結果、下腿が外側に傾き難くなる。従って、膝の位置が外側に移り難くなり、Ｏ脚による膝への負担が抑えられる。
【先行技術文献】
【特許文献】
【０００５】
【特許文献１】特開２００１−２０４５０３号公報
【発明の概要】
【発明が解決しようとする課題】
【０００６】
ところで、上記従来の靴においては、靴底が踵部サポートの上面を傾斜させた構造となっているため、歩行時だけでなく立位時においても常に着用者の足にかかる荷重が内側に案内されている状態が続くため、着用者に違和感を与えてしまうことが問題となっている。
【０００７】
そこで、本発明は、斯かる実情に鑑み、立位時には着用者に違和感を与えず、歩行時にはＯ脚による膝への負担を抑えることができる靴底、及び該靴底を備える靴を提供することを課題とする。
【課題を解決するための手段】
【０００８】
本発明の靴底は、
接地面側であり且つ横幅方向における内側の少なくとも後足部に対応する位置に設けられる変形部であって、靴底の厚み方向で弾性圧縮可能な変形部を備え、
該変形部は、後足部の後端部に設けられた易変形部と、
該易変形部に対して前方側で隣り合う位置に設けられた難変形部とを有し、
前記難変形部は、前記厚み方向における圧縮変形に対する剛性が前記易変形部よりも高い。
【０００９】
上記構成の靴底によれば、難変形部の前記厚み方向における圧縮に対する剛性が前記易変形部よりも高くなっているため、足の裏全体で靴底が踏まれている状態、すなわち、立位状態の人の足を支えている状態においては難変形部が圧縮変形し難く、靴底全体内側にも外側にも傾き難くなっている。そのため、前記靴底は、立位状態の人の足を自然な状態で支えることができる。
【００１０】
一方、歩行動作中の人が踵で着地した際においては、変形部のうちの易変形部のみが踏みつけられて圧縮変形するため、靴底の後足部側が内側に沈み込む（傾く）。これに伴い、踵にかかる荷重が内側に案内される。
【００１１】
そして、踵で着地した後、後足部及び中足部が接地した状態に移る際に、前記荷重が内側に案内され易くなっており、難変形部が踏み込まれると、易変形部に加えて難変形部も圧縮変形する。
【００１２】
下腿は、踵で着地した状態から後足部及び中足部が接地した状態に移る際に外側に傾こうとする動きが大きくなるが、前記靴底では、足にかかる荷重が内側に案内され易くなっているため、下腿の外側への傾き、すなわち、膝の外側への移動が抑えられ、これにより、Ｏ脚による膝への負担を抑えることができる。
【００１３】
本発明の靴底において、
前記易変形部は、後方側になるにつれて上方に向かうように湾曲していてもよい。
【００１４】
このようにすれば、歩行動作中の人の踵が着地した際に前記易変形部と接地面との接地面積が増えるため、靴底の後足部側が内側に沈み込み易くなる。
【００１５】
本発明の靴底は、
前記変形部に対して外側で横並びに配置された後足支持部を備え、
該後足支持部の前記厚み方向における圧縮に対する剛性は、前記難変形部よりも高くなっていてもよい。
【００１６】
上記構成の靴底によれば、変形部よりも、該変形部の外側に配置される後足支持部の方が圧縮変形し難くなるため、踵にかかる荷重が内側に案内され易くなり、下腿が外側に傾き難くなる。
【００１７】
本発明の靴底において、
前記後足支持部の下面には、
アウトソールが取り付けられる接地側領域と、
該接地側領域よりも内側に位置し且つ該接地側領域を基準として上方に延びるように形成された逃領域とが含まれていてもよい。
【００１８】
上記構成の靴底によれば、接地側領域よりも内側に位置する逃領域が接地面から離れるように形成されているため、靴底の後足部の内側に位置する変形部が沈み込んだときに、該後足支持部が接地面に干渉してしまうことを防止できる。
【００１９】
従って、変形部の圧縮変形が後足支持部によって妨げられないようにすることができる。
【００２０】
本発明の靴底において、
前記変形部の先端は、
靴底の前足部と中足部の境目に対応する位置又は該境目よりも後方側に位置するように構成されていてもよい。
【００２１】
このようにすれば、歩行動作中の人の荷重が靴底の後足部から中足部にかけてかかっていた状態から該荷重が前足部側にかかっている状態に切り替わるに伴い、着用者の荷重が足の横幅方向における中央部に移り戻り易くなる。従って、着用者が靴底の前足部全体で接地面を蹴り出し易くなるため、スムーズな歩行動作をとれるようになる。
【００２２】
本発明の靴は、
着用者が足を入れる着用部と、
該着用部の下側に設けられた上記何れかの靴底とを備える。
【００２３】
かかる構成によれば、立位状態の人の足を自然な状態で支えることができるとともに、歩行時においては、下腿が外側に傾き難くなるため、Ｏ脚による膝への負担を抑えることができる。
【発明の効果】
【００２４】
以上のように、本発明の靴底及び該靴底を備えた靴によれば、立位時には着用者に違和感を与えず、歩行時にはＯ脚による膝への負担を抑えることができるという優れた効果を奏し得る。
【図面の簡単な説明】
【００２５】
【図１】図１は、本発明の一実施形態に係る靴の内側面図である。
【図２】図２は、同実施形態に係る靴の背面図である。
【図３】図３は、同実施形態に係る靴底の底面図である。
【図４】図４は、同実施形態に係る靴底のうちのベース部の底面図である。
【図５】図５は、同実施形態に係る変形部の内側面図である。
【図６】図６は、図３のＶＩ−ＶＩ断面線における断面図である。
【図７】図７は、同実施形態に係る靴底と足の位置関係の説明図である。
【図８】図８において、（ａ）は着用者が立位状態のときの靴の背面図であり、（ｂ）は着用者が立位状態のときの靴の内側面図である。
【図９】図９は、歩行時における着用者の荷重の推移を説明するための図である。
【図１０】図１０において、（ａ）は着用者が歩行時に踵で着地したときの靴の背面図であり、（ｂ）は着用者が歩行時に踵で着地したときの内側面図である。
【図１１】図１１において、（ａ）は着用者の踵とつま先とが歩行時に接地したときの靴の背面図であり、（ｂ）は着用者の踵とつま先とが歩行時に接地したときの内側面図である。
【発明を実施するための形態】
【００２６】
以下、本発明の一実施形態にかかる靴底について説明する。本実施形態に係る靴底は、着用者の下腿を内側（足の横幅方向における内側）に傾けて膝を内側に寄せることでＯ脚による膝への負担を抑えるように構成されたものである。なお、本実施形態において足とは、下肢のうち足首から下方側の部分のことである。
【００２７】
そして、本実施形態では、図１に示すように、着用者が足を入れる着用部２と、該着用部２に設けられた靴底３とを備える靴１を一例に挙げて靴底３の説明を行うこととする。
【００２８】
着用部２は、着用者の足の側面及び上面を覆うように形成されており、また、着用者が足を出し入れするための出入口が形成されている。
【００２９】
靴底３は、足の外形に合わせて形成されたベース部４と、前記横幅方向における内側の少なくとも後足部に対応する位置に設けられる変形部５であって、靴底３の厚み方向で弾性圧縮可能な変形部５とを有する。なお、ベース部４と変形部５は、靴底３のうちの、いわゆるミッドソールに該当する部分でもある。
【００３０】
ベース部４には、靴１の着用者の踵が配置される部分である後足部Ｅ１、着用者のつま先が配置される前足部Ｅ２、後足部Ｅ１と前足部Ｅ２の間の部分、すなわち、着用者の土踏まずが配置される部分である中足部Ｅ３が含まれている（図７参照）。変形部５は、この後足部Ｅ１の前記横幅方向における内側に配置された状態でベース部４の下面側（接地面側）に取り付けられている。
【００３１】
また、本実施形態では、着用者のつま先と踵とが並ぶ方向を前後方向、着用者の足の横幅に対応する方向を横幅方向、そして、前記前後方向と前記横幅方向とに直交する方向を厚み方向と称して以下の説明を行うこととする。なお、本実施形態では、前記厚み方向が上下方向と同方向であることを前提に以下の説明を行うこととする。また、本実施形態では、前記横幅方向における内側を単に内側と称し、前記横幅方向における外側を単に外側と称して以下の説明を行うこととする。
【００３２】
本実施形態に係るベース部４は、図４、及び図７に示すように、変形部５を取り付けるための取付部４０と、該取付部４０の前方及び外側に広がる支持部４１とを有する。
【００３３】
取付部４０は、内側の後足部Ｅ１から中足部Ｅ３に至る領域に形成されている。
【００３４】
支持部４１は、地面等の接地面に接触するアウトソールＯが取り付けられる部分でもある。そして、支持部４１には、後足部Ｅ１に形成されている後足支持部４１０と、中足部Ｅ３に形成されている中足支持部４１１と、前足部Ｅ２に形成されている前足支持部４１２と、が含まれている。
【００３５】
後足支持部４１０は、前記横幅方向において、変形部５の外側に並ぶ位置に形成されている。また、後足支持部４１０は、前記前後方向における後方側になるにつれて、徐々に上方に向かうように湾曲した形状となっている（図１参照）。
【００３６】
本実施形態に係る後足支持部４１０には、図２に示すように、アウトソールＯを介して接地面上に配置される接地側領域４１０ａと、該接地側領域４１０ａよりも内側（より具体的には、前記幅方向における外側で変形部５に対向する場所）に位置し且つ該接地側領域４１０ａから上方に向かうように形成された逃領域４１０ｂが含まれている。そのため、逃領域４１０ｂは、接地側領域４１０ａに取り付けられているアウトソールＯよりも上方に位置することになる。これにより、靴底３は、着用者の立位時及び歩行時において、逃領域４１０ｂが接地面に接触しないように構成されている。
【００３７】
前足支持部４１２は、前記前後方向における前方側になるにつれて、徐々に上方に向かうように湾曲した形状となっている（図１参照）。
【００３８】
本実施形態に係るベース部４には、図３、図４、及び図７に示すように、後端を基準として前端側に向かって延びるガイド溝４２が形成されている。
【００３９】
ガイド溝４２は、前記幅方向におけるベース部４の中央部側に形成されており、該ガイド溝４２の先端は、前足部Ｅ２内でベース部４の前端よりも後方側に位置している。
【００４０】
また、中足支持部４１１には、ガイド溝４２を境として内側に位置する内側中足支持部４１１と、ガイド溝４２を境として外側に位置する外側中足支持部４１１とが含まれている。
【００４１】
なお、本実施形態に係るガイド溝４２は、前足部Ｅ２内においては、先端側になるにつれて内側に向かうように湾曲している。
【００４２】
図１に戻り、変形部５は、靴底３の厚み方向で弾性圧縮可能であり、前記前後方向における後方側の圧縮剛性が前記前後方向における前方側の圧縮剛性よりも低くなるように構成されている。
【００４３】
また、変形部５の前方側及び外側の周側部は、ベース部４（前足支持部４１２や、後足支持部４１０とが隣接しているが、該周側部と、前足支持部４１２及び後足支持部４１０とは互いに分断されている。
【００４４】
本実施形態に係る変形部５は、後足部Ｅ１の後端部に設けられた易変形部６と、該易変形部６に対して前方側で隣り合う位置に設けられた難変形部７とを有する。なお、ベース部４と変形部５とが弾性を有する材料で構成されている場合は、立位時や歩行時に何れも弾性変形することになるが、ベース部４には圧縮代が設定されていないのに対して、変形部５は圧縮代を持つように構成されているため、ベース部４に対して変形部５（特に易変形部６）を大きく弾性変形させることができるようになっている。
【００４５】
また、変形部５は、図３及び図７に示すように、前記前後方向における先端が、中足部Ｅ３と前足部Ｅ２の境目、若しくは中足部Ｅ３内に位置していればよいが、変形部５の全長（前記前後方向における全長）は、ベース部４の最後端を基準として該ベース部４の全長の約２０％〜５５％となっていることが好ましい。本実施形態の変形部５の全長はベース部４の全長の約５０％となっており、変形部５の先端が中足部Ｅ３の中央部（前記前後方向における中央部）に位置している。
【００４６】
変形部５の後端は、ベース部４（取付部４０）の後端と一致又は略一致する場所に配置されている。また、変形部５は、後端側から前端側になるにつれて徐々に剛性が高くなるように構成されているが、易変形部６が難変形部７よりも圧縮変形し易くなっていれば、例えば、後端側から前端側にかけて、段階的に剛性が高くなるように構成されていてもよい。なお、本実施形態における圧縮剛性とは、前記厚み方向における圧縮力に対する剛性（潰れ難さ）のことである。
【００４７】
本実施形態に係る変形部５は、図５に示すように、取付部４０に取り付けられる取付板部５０と、該取付板部５０の下方側（すなわち、取付板部５０よりも接地面側）に位置する接地側板部５１と、取付板部５０と接地側板部５１との間に形成された圧縮調整部５２とを有しており、取付板部５０、接地側板部５１、圧縮調整部５２は、それぞれ弾性を有する材料で構成されている。
【００４８】
取付板部５０には、図６に示すように、取付部４０に固定される固定面５００と、接地側板部５１に対向する上側対向面５０１とを有するように構成されており、該上側対向面５０１は、外側から内側になるにつれて徐々に上方に向かうように傾斜している。
【００４９】
接地側板部５１には、取付板部５０（上側対向面５０１）に対向する下側対向面５１０と、該下側対向面５１０とは反対側の一面、すなわち、該下側対向面５１０よりも接地面側に配置される一面である下面５１１とを有するように構成されており、該下側対向面５１０は、外側から内側になるにつれて徐々に下方側に向かうように傾斜している。
【００５０】
そのため、前記厚み方向における接地側板部５１と取付板部５０の間隔は、外側から内側になるにつれて徐々に大きくなっている。
【００５１】
圧縮調整部５２は、図５に示すように、前記前後方向において間隔をあけて並ぶように取付板部５０と接地側板部５１との間に複数形成されている。
【００５２】
圧縮調整部５２は、前記幅方向における内側から外側に向かって延びている。
【００５３】
また、圧縮調整部５２は、側面視において前記厚み方向に対して前記前後方向に傾いている。
【００５４】
複数の圧縮調整部５２のうち、易変形部６を構成するものは、上端部（取付板部５０に連続する一端）が下端部（接地側板部５１に連続する一端）よりも前記前後方向における前方側に位置するように傾斜しており、また、前記前後方向において後方側に位置するものであるほど前記厚み方向に対する傾きが大きくなっている。
【００５５】
そのため、易変形部６を構成する圧縮調整部５２は、前記前後方向における後方側に位置するものであるほど、前記厚み方向における圧縮力（着用者の荷重）が加わった際に傾倒し易くなっている。
【００５６】
一方、難変形部７を構成する圧縮調整部５２は、易変形部６を構成する圧縮調整部５２よりも前記厚み方向に対する傾きが小さくなっており、前記厚み方向における圧縮力（着用者の荷重）が加わった際に傾倒し難くなっている。
【００５７】
これにより、変形部５では、前記厚み方向における圧縮力が加わると、変形部５の後方側（すなわち、易変形部６に該当する部分）の方が、変形部５の前方側（すなわち、難変形部７に該当する部分）よりも沈み込み易くなっている。
【００５８】
本実施形態では、易変形部６を構成している取付板部５０の後方側、接地側板部５１の後方側、変形部５の後方側に位置する圧縮調整部５２を、それぞれ後方取付板部５０２、後方接地側板部５１２、後方圧縮調整部５２０と称し、難変形部７を構成している取付板部５０の前方側、接地側板部５１の前方側、変形部５の前方側に位置する圧縮調整部５２を、それぞれ前方取付板部５０３、前方接地側板部５１３、前方圧縮調整部５２１と称して以下の説明を行うこととする。
【００５９】
前記前後方向で隣り合う圧縮調整部５２の間は、中空の領域（以下、中空領域称する）５３となっており、該中空領域５３には、図６に示すように、変形部５の内側の側面（すなわち、取付板部５０及び接地側板部５１の前記他端）で開口する内側開口５３０と、接地側板部５１の外側にて下方側に向けて開口する外側開口５３１とが含まれている。また、中空領域５３は、外側から内側になるにつれて広がるように形成されている。
【００６０】
本実施形態に係る靴１の構成は、以上の通りである。続いて、着用者が立位状態、及び歩行状態であるときの靴底３の変形の仕方について説明を行う。
【００６１】
着用者が立位状態である場合、図８（ａ）、図８（ｂ）に示すように、靴底３全体に着用者の荷重がかかる。このとき、変形部５では、難変形部７が変形しない若しくは略変形しないため、易変形部６も全く変形しないか、略変形せず、靴底３全体が内側にも外側にも傾かない水平な姿勢で保たれる。そのため、着用者の足も、内側にも外側にも傾かない水平な姿勢に保たれる。
【００６２】
これに対し、着用者が歩行する場合、踵で着地すると、荷重が後足部Ｅ１の後方の外側の地点Ｐ１を始点として踵の外形に沿うようにして中足部Ｅ３の後方内側の地点Ｐ２まで移る（図９参照）。
【００６３】
本実施形態では、後足支持部４１０の圧縮剛性が易変形部６の圧縮剛性よりも高くなっているため、後足部Ｅ１全体に着用者の踵から荷重がかかると、該後足支持部４１０は変形しないか略変形しないが、図１０（ａ）、図１０（ｂ）に示すように、易変形部６が圧縮変形するため、後足部Ｅ１の内側が沈み込む。これにより、歩行中の着用者の荷重（踵にかかる荷重）が内側に案内されるとともに、下腿が内側に傾き始める。なお、図１０（ａ）は、図１０（ｂ）の矢印Ａの方向で靴１を見た図である。
【００６４】
また、本実施形態では、易変形部６と難変形部７とが一体に形成されているため、易変形部６の圧縮変形に伴い、難変形部７も圧縮変形し始める。
【００６５】
そして、踵で着地した状態から後足部Ｅ１及び中足部Ｅ３が接地した状態に移る際、着用者の足にかかる荷重は、中足部Ｅ３の後方内側の地点Ｐ２から前足部Ｅ２後方の中央部（前記幅方向における中央部）の地点Ｐ３に移る（図９参照）。
【００６６】
このとき、図１１（ａ）、図１１（ｂ）に示すように、足にかかる荷重が内側に移った状態で難変形部７が踏み込まれると、易変形部６に加えて難変形部７も圧縮変形する。
【００６７】
踵で着地した状態から後足部Ｅ１及び中足部Ｅ３が接地した状態に移る際においては、下腿の外側に傾こうとする動きが大きくなるが、本実施形態の靴底３では、足にかかる荷重が内側に案内され易い状態が続くため、下腿が内側に傾くに伴って膝が内側に寄せられ易くなる。
【００６８】
さらに、後足部Ｅ１及び中足部Ｅ３が接地した状態から後足部Ｅ１及び中足部Ｅ３が接地面から離れて前足部Ｅ２のみが接地している状態に移るに伴って、易変形部６及び難変形部７が圧縮変形している状態から形状が復帰する。また、着用者が前足部Ｅ２全体で接地面を蹴り出す際、着用者の足にかかる荷重は、前足部Ｅ２後方の中央部の地点Ｐ３から靴底３の前端に移る（図９参照）。
【００６９】
以上のように、本実施形態に係る靴１によれば、着用者が立位状態（足の裏全体で靴底３を踏んでいる状態）である場合には、着用者の足を水平な姿勢で支えることができ、歩行時においては、下腿の外側への傾きを抑えることによって膝の外側への移動を抑えることができる、若しくは膝を内側に寄せることができるため、立位時には着用者に違和感を与えず、歩行時にはＯ脚による膝への負担を抑えることができるようになっている。
【００７０】
特に、下腿は、踵で着地した状態から後足部Ｅ１及び中足部Ｅ３が接地した状態に移るまでの動作期間において外側に傾こうとする動きが大きくなるが、本実施形態に係る靴１は、かかる動作期間の間、足にかかる荷重が内側に案内され易い状態が続くため、下腿の外側への傾き、すなわち、膝の外側への移動が抑えられ、これにより、Ｏ脚による膝への負担を抑えることができるようになっている。
【００７１】
また、靴底３の易変形部６が後方側になるにつれて上方に向かうように湾曲していているため、立位時においては、易変形部６が接地面に接触し難くなり、着用者の荷重で易変形部６が圧縮変形してしまうことを防止できる。
【００７２】
さらに、歩行時においては、着用者が踵で着地した際に、易変形部６と地面との接地面積を広く確保することができるため、易変形部６に着用者の荷重がかかり易くなる。従って、易変形部６が十分に圧縮変形して靴底３の後足部Ｅ１の内側が大きく沈み込むため、着用者の荷重が内側に案内され易くなる。
【００７３】
また、本実施形態では、変形部５に対して後足支持部４１０、内側中足支持部４１１、外側中足支持部４１１が隣接しているが、これらの構成は互いに分断されているため、変形部５と、後足支持部４１０や、内側中足支持部４１１、外側中足支持部４１１が独立して圧縮変形できるようになっている。従って、変形部５の圧縮変形が後足支持部４１０や、内側中足支持部４１１、外側中足支持部４１１の剛性に妨げられないため、靴底３の後足部Ｅ１の内側が沈み易くなる。
【００７４】
さらに、本実施形態では、変形部５の圧縮剛性が後端側から前端側になるにつれて徐々に高くなっているため、歩行時においては変形部５が後端側から前端側にかけてスムーズに圧縮変形する。これにより、着用者は、違和感の少ない円滑な歩行動作をとることができるようになる。
【００７５】
本実施形態において、変形部５の外側には難変形部７よりも圧縮剛性が高い後足支持部４１０が配置されているため、着用者の足にかかる荷重が外側に案内されてしまうことを抑えることができる。
【００７６】
また、変形部５の外側には難変形部７よりも圧縮剛性が高い後足支持部４１０が配置されているが、後足支持部４１０の内側（変形部５側）には接地側領域４１０ａから上方に向かうように形成された逃領域４１０ｂが含まれているため、後足支持部４１０のさらに内側にある変形部５が圧縮変形した際に、後足支持部４１０の内側が接地面に接触してしまうことを抑えることができる。
【００７７】
従って、本実施形態に係る靴１は、変形部５の圧縮変形が後足支持部４１０により妨げられないようになっている。
【００７８】
そして、本実施形態に係る靴底３では、変形部５の先端が靴底３の前足部Ｅ２と中足部の境目に対応する位置又は該境目よりも後方側に位置するように構成されているため、靴底３の後足部Ｅ１から中足部Ｅ３にかけて荷重がかかっていた状態から前足部Ｅ２側に荷重がかかっている状態に切り替わるに伴い、着用者の荷重が足の内側から前記横幅方向における中央部側に移り易くなる。
【００７９】
従って、着用者が靴底３の前足部Ｅ２全体で接地面を蹴り出せるようになり、スムーズな歩行動作をとれるようになる。
【００８０】
また、後足支持部４１０及び易変形部６が後方側になるにつれて上方に向かうように湾曲していているため、着用者が歩行時に踵で着地した後、荷重が前方側に移り易くなる。
【００８１】
さらに、前足支持部４１２が前方側になるにつれて上方に向かうように湾曲していているため、着用者が接地面を蹴り出す動作がベース部４により妨げられ難くなっている。なお、本実施形態では、上述のように、変形部５がベース部４の後端から中足部Ｅ３の中央部に至る領域に設けられることにより、歩行動作中の人の荷重が靴底３の後足部Ｅ１から中足部Ｅ３にかけてかかっていた状態から該荷重が前足部Ｅ２側にかかっている状態に切り替わる際に、着用者の荷重が足の横幅方向における中央部に戻り易くなっているため、着用者が前足部Ｅ２全体で接地面を蹴り出し易くなっている。
【００８２】
従って、本実施形態に係る靴１は、着用者が歩行時に前方に進むための推進力が付き易くなるため、スムーズな歩行動作をとれるようになる。
【００８３】
なお、本発明の靴は、上記一実施形態に限定されるものではなく、本発明の要旨を逸脱しない範囲において種々変更を行うことは勿論である。
【００８４】
上記実施形態では、易変形部６と難変形部７とが一体的に形成されていたが、この構成に限定されない。例えば、易変形部６と難変形部７とは別体であってもよい。
【００８５】
上記実施形態において、変形部５の剛性は、圧縮調整部５２の傾き（前記厚み方向に対する傾き）を変化させることで調整されていたが、例えば、圧縮調整部５２の硬度や、幅（前記前後方向における幅）を変化させることで変形部５の剛性を調整してもよい。なお、変形部５の剛性は、中空領域５３のサイズを変更することにより調整することも可能である。
【００８６】
また、後方取付板部５０２と後方接地側板部５１２との間隔よりも前方取付板部５０３と前方接地側板部５１３との間隔を狭めたうえで、取付部４０の前方側の厚みを大きくする等して変形部５の剛性を調整してもよい。
【００８７】
上記実施形態において、変形部５は、板状の取付板部５０と、接地側板部５１とを圧縮調整部５２で繋いだ構造となっていたが、この構成に限定されない。例えば、変形部５は、ブロック状であってもよい。すなわち、上記実施形態の変形部５は、中空状に形成されていたが、例えば、中実であってもよい。この場合、易変形部６と難変形部７を一つのブロック状の部材で構成してもよいし、易変形部６と難変形部７とを別々のブロック状の部材で構成してもよい。
【００８８】
なお、上記構成を採用する場合、易変形部６と難変形部７の剛性は、硬度や、厚み等により調整することになるが、板状の取付板部５０と、接地側板部５１とを圧縮調整部５２で繋いだ構造としている場合は、圧縮調整部５２の形状で易変形部６と難変形部７の剛性を調整できるため、該剛性を調整し易くなる。
【００８９】
上記実施形態において、ガイド溝４２は、後足部Ｅ１から中足部Ｅ３を通過して前足部Ｅ２まで延びるように形成されていたが、例えば、中足部Ｅ３から前足部Ｅ２まで延びるように形成されていても良い。
【００９０】
上記実施形態において、ガイド溝４２の先端は、前足部Ｅ２の先端よりも後方側に位置していたが、この構成に限定されない。例えば、ガイド溝４２の先端は、前足部Ｅ２の先端と対応する場所に位置していてもよい。すなわち、ガイド溝４２の先端は、前足部Ｅ２の先端で前記前後方向における前方側に開放されていてもよい。
【００９１】
上記実施形態において、特に言及しなかったが、変形部５は、取付板部５０と接地側板部５１のそれぞれの外側の一端部を接続する接続部を有するものであってもよい。この場合、接続部は、少なくとも取付板部５０の一端部よりも薄肉であることが好ましい。
【００９２】
このようにすれば、取付板部５０の一端部と接地側板部５１の一端部とを接続する接続部の厚みが、取付板部５０の一端部よりも薄肉であるため、変形部５に着用者の荷重がかかった際に、接続部を基点として取付板部５０を接地側板部５１に接近させるようにして変形部５を変形させることができる。
【００９３】
従って、接地側板部５１に対して取付板部５０を傾けるようにして変形部５を変形させることができるため、着用者の荷重が内側に案内され易くなる。
【００９４】
また、接地側板部５１の下面５１１全体が接地面に接触し易くなるため、例えば、歩行時に接地側板部５１の下面５１１の一部だけが接地面と接触することが抑えられるため、接地側板部５１に局所的な摩耗が生じることが抑えられる。
【００９５】
上記実施形態では、着用者が歩行する場合を前提として靴１の説明を行ったが、走行時と歩行時の着用者の動作は、基本的に同様であるため、走行時等においても歩行時と同様の効果が得られる。
【符号の説明】
【００９６】
１…靴、２…着用部、３…靴底、４…ベース部、５…変形部、６…易変形部、７…難変形部、４０…取付部、４１…支持部、４２…ガイド溝、５０…取付板部、５１…接地側板部、５２…圧縮調整部、５３…中空領域、４１０…後足支持部、４１０ａ…接地側領域、４１０ｂ…逃領域、４１１…中足支持部、内側中足支持部、外側中足支持部、４１２…前足支持部、５００…固定面、５０１…上側対向面、５０２…後方取付板部、５０３…前方取付板部、５１０…下側対向面、５１１…下面、５１２…後方接地側板部、５１３…前方接地側板部、５２０…後方圧縮調整部、５２１…前方圧縮調整部、５３０…内側開口、５３１…外側開口、Ｅ１…後足部、Ｅ２…前足部、Ｅ３…中足部、Ｐ１…外側後点、Ｐ２…地点、Ｐ３…地点
【図１】
2019042279.tif 000003
【図２】
2019042279.tif 000004
【図３】
2019042279.tif 000005
【図４】
2019042279.tif 000006
【図５】
2019042279.tif 000007
【図６】
2019042279.tif 000008
【図７】
2019042279.tif 000009
【図８】
2019042279.tif 000010
【図９】
2019042279.tif 000011
【図１０】
2019042279.tif 000012
【図１１】
2019042279.tif 000013